(57)【要約】【課題】電子機器の大型化やコストアップを抑制しつつ、バックアップ電源を供給できるようにする。【解決手段】バックアップ電源装置１０により、ＡＣ電源９が正常な場合は電源部２からの動作電源２Ａを制御部３の動作電源３Ａとして供給し、ＡＣ電源９の電圧低下時には冷却ファン４の逆起電力からバックアップ電源生成部１３で生成したバックアップ電源１３Ａを制御部３の動作電源３Ａとして供給する。【選択図】  図１
2006296004.tif 000002
【特許請求の範囲】
【請求項１】
所望の処理動作を制御部と、常時回転し電源供給停止に応じて慣性で回転動作するモータと、外部から供給される外部電源に基づき前記制御部に対する第１の動作電源と前記モータに対する第１のモータ電源とを生成して供給する電源部とを備える電子機器であって、
前記外部電源の電圧低下時には慣性で回転する前記モータの逆起電力から生成したバックアップ電源を出力するバックアップ電源生成部と、
前記外部電源の電圧が正常な場合は前記第１の動作電源を前記制御部の処理動作に用いる第２の動作電源として供給し、前記外部電源の電圧低下時には前記バックアップ電源を前記第２の動作電源として供給する動作電源切替部と
を備えることを特徴とする電子機器。
【請求項２】
請求項１に記載の電子機器において、
前記外部電源が正常な場合は前記第１のモータ電源を前記モータの回転動作に用いる第２のモータ電源として供給し、前記外部電源の電圧低下時には前記逆起電力に起因して前記モータから出力される前記第２のモータ電源を前記バックアップ電源生成部へ供給するモータ電源切替部をさらに備えることを特徴とする電子機器。
【請求項３】
請求項１に記載の電子機器において、
前記外部電源の電圧低下を検出し、その検出信号に基づき前記動作電源切替部を切替制御する検出部をさらに備えることを特徴とする電子機器。
【請求項４】
請求項２に記載の電子機器において、
前記外部電源の電圧低下を検出し、その検出信号に基づき前記動作電源切替部および前記モータ電源切替部を切替制御する検出部をさらに備えることを特徴とする電子機器。
【請求項５】
請求項１に記載の電子機器において、
前記モータは、前記慣性を維持する慣性維持手段を備えることを特徴とする電子機器。
【請求項６】
請求項１に記載の電子機器において、
前記モータは、当該電子機器を送風により冷却する冷却ファンからなることを特徴とする電子機器。
【請求項７】
請求項６に記載の電子機器において、
前記冷却ファンは、送風用ブレードの先端部に前記慣性を維持するウェイトを備えることを特徴とする電子機器。
【請求項８】
所望の処理動作を制御部と、常時回転し電源供給停止に応じて慣性で回転動作するモータと、外部から供給される外部電源に基づき前記制御部に対する第１の動作電源と前記モータに対する第１のモータ電源とを生成して供給する電源部とを備える電子機器で用いられるバックアップ電源装置であって、
前記外部電源の電圧低下時には慣性で回転する前記モータの逆起電力から生成したバックアップ電源を出力するバックアップ電源生成部と、
前記外部電源の電圧が正常な場合は前記第１の動作電源を前記制御部の処理動作に用いる第２の動作電源として供給し、前記外部電源の電圧低下時には前記バックアップ電源を前記第２の動作電源として供給する動作電源切替部と
を備えることを特徴とするバックアップ電源装置。
【発明の詳細な説明】
【技術分野】
【０００１】
本発明は、電源供給技術に関し、特に電源停止や瞬断に対して一時的にバックアップ動作用の電源を供給する技術に関する。
【背景技術】
【０００２】
ＣＰＵなどのマイクロプロセッサを用いて処理動作を行う電子機器では、揮発性メモリを用いて処理動作のための各種データを記憶しているため、ＡＣ電源などの外部電源の停止や瞬断に応じた当該電子機器の動作電源の低下を検出し、これらデータを不揮発性メモリやハードディスクなどの記憶装置へバックアップする必要がある。
このようなバックアップ動作を行うため、従来、電子機器に予備電池を搭載し、動作電源の低下検出に応じて、この動作電源に代えて予備電池や大容量コンデンサからバックアップ動作用の電源すなわちバックアップ電源を一時的に供給するものとなっていた（例えば、特許文献１など参照）。
【０００３】
【特許文献１】特開２０００−１２５４８４号公報
【発明の開示】
【発明が解決しようとする課題】
【０００４】
しかしながら、このような従来技術では、バックアップ電源用として予備電池や大容量コンデンサが必要となるため、これらを実装するためのスペースが必要となるため電子機器の大型化やコストアップを回避できないという問題点があった。また、予備電池では、寿命による交換作業も必要となるという問題点があった。
本発明はこのような課題を解決するためのものであり、電子機器の大型化やコストアップを抑制しつつ、バックアップ電源を供給できる電子機器およびバックアップ電源装置を提供することを目的としている。
【課題を解決するための手段】
【０００５】
このような目的を達成するために、本発明にかかる電子機器は、所望の処理動作を制御部と、常時回転し電源供給停止に応じて慣性で回転動作するモータと、外部から供給される外部電源に基づき制御部に対する第１の動作電源とモータに対する第１のモータ電源とを生成して供給する電源部とを備える電子機器であって、外部電源の電圧低下時には慣性で回転するモータの逆起電力から生成したバックアップ電源を出力するバックアップ電源生成部と、外部電源の電圧が正常な場合は第１の動作電源を制御部の処理動作に用いる第２の動作電源として供給し、外部電源の電圧低下時にはバックアップ電源を第２の動作電源として供給する動作電源切替部とを備えている。
【０００６】
この際、外部電源が正常な場合は第１のモータ電源をモータの回転動作に用いる第２のモータ電源として供給し、外部電源の電圧低下時には逆起電力に起因してモータから出力される第２のモータ電源をバックアップ電源生成部へ供給するモータ電源切替部をさらに備えてもよい。
【０００７】
また、外部電源の電圧低下を検出し、その検出信号に基づき動作電源切替部を切替制御する検出部をさらに備えてもよい。
あるいは、外部電源の電圧低下を検出し、その検出信号に基づき動作電源切替部およびモータ電源切替部を切替制御する検出部をさらに備えてもよい。
【０００８】
また、モータは、慣性を維持する慣性維持手段を備えてもよい。
また、モータとして、当該電子機器を送風により冷却する冷却ファンを利用してもよく、冷却ファンの送風用ブレードの先端部に慣性を維持するウェイトを備えてもよい。
【０００９】
また、本発明にかかるバックアップ電源装置は、所望の処理動作を制御部と、常時回転し電源供給停止に応じて慣性で回転動作するモータと、外部から供給される外部電源に基づき制御部に対する第１の動作電源とモータに対する第１のモータ電源とを生成して供給する電源部とを備える電子機器で用いられるバックアップ電源装置であって、外部電源の電圧低下時には慣性で回転するモータの逆起電力から生成したバックアップ電源を出力するバックアップ電源生成部と、外部電源の電圧が正常な場合は第１の動作電源を制御部の処理動作に用いる第２の動作電源として供給し、外部電源の電圧低下時にはバックアップ電源を第２の動作電源として供給する動作電源切替部とを備えている。
【発明の効果】
【００１０】
本発明によれば、バックアップ電源生成部により、外部電源の電圧低下時には慣性で回転するモータの逆起電力から生成したバックアップ電源が出力され、動作電源切替部により、外部電源が正常な場合は電源部からの動作電源が制御部の動作電源として供給され、外部電源の電圧低下時にはバックアップ電源が制御部の動作電源として供給されるため、予備電池や大容量コンデンサを必要とすることなくバックアップ電源を供給できる。
【００１１】
したがって、バックアップ電源用として予備電池や大容量コンデンサを用いる場合と比較して、電気機器に設けられている冷却ファンの逆起電力を利用するようにしたので、予備電池や大容量コンデンサを実装するためのスペースが不要となり、電子機器の大型化やコストアップを抑制できる。また、予備電池では必要となる寿命による交換作業も不要となり、運用の面でも作業負担を軽減できる。
【発明を実施するための最良の形態】
【００１２】
次に、本発明の実施の形態について図面を参照して説明する。
［第１の実施の形態］
まず、図１を参照して、本発明の第１の実施の形態にかかる電子機器およびバックアップ電源装置について説明する。図１は、本発明の第１の実施の形態にかかる電子機器およびバックアップ電源装置の構成を示すブロック図である。
この電子機器１は、ＡＣ電源９（外部電源）から生成した動作電源に基づき、ＣＰＵなどのマイクロプロセッサを用いて処理動作を行う情報処理装置であり、電源部２、制御部３、冷却ファン４、およびバックアップ電源装置１０を備えている。
【００１３】
電源部２は、ＡＣ電源９を直流安定化して各種直流電源を出力する電源回路であり、制御部３の処理動作に用いる動作電源（第１の動作電源）２Ａを出力する機能と、冷却ファン４の回転動作に用いるモータ電源（第１のモータ電源）２Ｂを出力する機能と、ＡＣ電源９の低下を検出するための参照電位２Ｃを出力する機能とを有している。参照電位２Ｃについては、ＡＣ電源９の電圧変動に応じて変化する直流電位であればいずれでもよいが、ＡＣ電源９の電圧低下に応じた動作電源２Ａの電圧低下より先に電圧低下する電位、例えば動作電源２Ａより電圧の高いモータ電源２Ｂなどを用いればよい。
【００１４】
制御部３は、動作電源（第２の動作電源）３Ａにより処理動作する、ＣＰＵなどのマイクロプロセッサと揮発性メモリなどの周辺回路とを有し、所定のプログラムを実行することにより、上記ハードウェアとプログラムとを協働させて所望の処理動作を行う機能部である。
冷却ファン４は、制御部３のマイクロプロセッサなど電子機器１内に設けられている回路装置からの発熱を空冷するためのファンモータであり、モータ電源（第２のモータ電源）４Ａにより回転動作するモータ（ＤＣモータ）４１と、このモータ４１により回転して空気を送風するインペラ（羽根車）４２とから構成されている。
【００１５】
バックアップ電源装置１０は、電源部２と制御部３および冷却ファン４との間に接続され、ＡＣ電源９が正常な場合は電源部２からの動作電源２Ａを制御部３の動作電源３Ａとして供給し、ＡＣ電源９の電圧低下時には冷却ファン４の逆起電力から生成したバックアップ電源１３Ａを制御部３の動作電源３Ａとして供給する回路装置である。
【００１６】
本実施の形態は、バックアップ電源装置１０を設けて、ＡＣ電源９が正常な場合は電源部２からの動作電源２Ａを制御部３の動作電源３Ａとして供給し、ＡＣ電源９の電圧低下時には冷却ファン４の逆起電力から生成したバックアップ電源１３Ａを制御部３の動作電源３Ａとして供給するようにしたものである。
【００１７】
以下、図１を参照して、バックアップ電源装置１０の構成について詳細に説明する。
バックアップ電源装置１０には、検出部１１、モータ電源切替部１２、バックアップ電源生成部１３、および動作電源切替部１４が設けられており、これらがユニットとして一体化されて電子機器１内に実装されている。
【００１８】
検出部１１は、ＡＣ電源９の電圧低下を検出する回路部であり、検出入力端子Ｄｉｎを介して入力された電源部２からの参照電位２Ｃと所定のしきい値電位とを比較する機能と、参照電位２Ｃがしきい値電位を下回った時点でＡＣ電源９の電圧低下を示す検出信号１１Ａを出力する機能とを有している。
【００１９】
モータ電源切替部１２は、冷却ファン４のモータ電源４Ａの入出力回路を切り替える回路部であり、検出信号１１ＡがＡＣ電源９の正常を示す場合はモータ電源入力端子Ｍｉｎを介して供給されたモータ電源２Ｂをモータ電源４Ａとして選択しモータ電源端子Ｍｏｕｔを介して冷却ファン４へ供給する機能と、検出信号１１ＡがＡＣ電源９の電圧低下を示す場合はモータ電源端子Ｍｏｕｔを介して供給された冷却ファン４からのモータ電源４Ａをバックアップ電源生成部１３へ切替供給する機能とを有している。
【００２０】
バックアップ電源生成部１３は、ＡＣ電源９の電圧低下時に制御部３の動作電源３Ａとして用いるバックアップ電源１３Ａを出力する回路部であり、モータ電源切替部１２から供給されたモータ電源４Ａを安定化してバックアップ電源１３Ａを生成し出力する機能を有している。
【００２１】
動作電源切替部１４は、電源部２からの動作電源２Ａとバックアップ電源生成部１３からのバックアップ電源１３Ａのいずれかを切り替えて制御部３の動作電源３Ａとして供給する回路部であり、検出信号１１ＡがＡＣ電源９の正常を示す場合は動作電源入力端子Ｐｉｎを介して供給された動作電源２Ａを動作電源３Ａとして選択し動作電源出力端子Ｐｏｕｔを介して制御部３へ供給する機能と、検出信号１１ＡがＡＣ電源９の電圧低下を示す場合はバックアップ電源１３Ａを動作電源３Ａとして選択し動作電源出力端子Ｐｏｕｔを介して制御部３へ供給する機能とを有している。
【００２２】
これらモータ電源切替部１２や動作電源切替部１４については、機械的接点がコイルで動作するメカニカルリレーでもよく、ＭＯＳＦＥＴを用いた半導体リレーでもよく、ＭＯＳＦＥＴを用いたスイッチを構成してもよい。
【００２３】
［第１の実施の形態の動作］
次に、図２を参照して、本発明の第１の実施の形態にかかる電子機器の切替動作について説明する。図２は、本発明の第１の実施の形態にかかる電子機器の切替動作を示す信号波形図である。
ここでは、ＡＣ電源９が瞬断した場合、バックアップ電源装置１０により、電源部２からの動作電源２Ａに代えて、冷却ファン４の逆起電力に基づき生成したバックアップ電源１３Ａを制御部３の動作電源３Ａとして供給する場合について説明する。
【００２４】
時刻Ｔ０以前の期間において、ＡＣ電源９は正常な電圧で供給されており、検出部１１は参照電位２Ｃがしきい値電位２Ｄ以上を示していることから、ＡＣ電源９の正常を示すＬＯＷレベルの検出信号１１Ａを出力している。これに応じて、モータ電源切替部１２は、電源部２からのモータ電源２Ｂをモータ電源４Ａとして選択して冷却ファン４へ供給し、このモータ電源４Ａによりモータ４１が回転してインペラ４２から制御部３に対して空気が送風される。また、動作電源切替部１４は、電源部２からの動作電源２Ａを動作電源３Ａとして選択して制御部３へ供給している。
【００２５】
時刻Ｔ０にＡＣ電源９が低下し始めた時刻Ｔ１までの期間では、その低下がある程度緩慢であるため、参照電位２Ｃがしきい値電位２Ｄ以上を示している。したがって、検出信号１１Ａは上記と同様にＡＣ電源９の正常を示すロー（ＬＯＷ）レベルのままであり、モータ電源切替部１２および動作電源切替部１４は切替動作しない。
【００２６】
その後の時刻Ｔ１に、ＡＣ電源９の低下に応じて参照電位２Ｃがしきい値電位２Ｄを下回った場合、検出部１１は、ＡＣ電源９の低下を示すハイ（ＨＩＧＨ）レベルの検出信号１１Ａを出力する。これに応じて、モータ電源切替部１２は切替動作し、冷却ファン４からのモータ電源４Ａをバックアップ電源生成部１３へ供給する。この際、慣性により回転し続けているインペラ４２に起因してモータ４１で発生する逆起電力が冷却ファン４からモータ電源４Ａとしてモータ電源切替部１２へ供給される。
バックアップ電源生成部１３は、モータ電源切替部１２から供給されたモータ電源４Ａを安定化しバックアップ電源１３Ａとして動作電源切替部１４へ供給する。
【００２７】
動作電源切替部１４は、ＡＣ電源９の低下を示す検出信号１１Ａに応じて切替動作し、動作電源２Ａに代えてバックアップ電源生成部１３からのバックアップ電源１３Ａを動作電源３Ａとして選択し制御部３へ供給する。
これにより、時刻Ｔ１以降、例えば時刻Ｔ２にＡＣ電源９がゼロまで低下しても、インペラ４２が慣性で回転しモータ４１の逆起電力により冷却ファン４からモータ電源４Ａが供給され、かつそのモータ電源４Ａが制御部３の動作電源３Ａを生成できる十分な電圧を保っている期間、制御部３は処理動作を継続できる。したがって、この期間に揮発性メモリで記憶していたデータを不揮発性メモリやハードディスクなどの記憶装置へバックアップすることができる。
【００２８】
その後、時刻Ｔ３にＡＣ電源９の供給が再開されてその電圧が上昇し、時刻Ｔ４に参照電位２Ｃがしきい値電位２Ｄに到達した時点で、検出部１１はＡＣ電源９の正常を示すＬＯＷレベルの検出信号１１Ａを出力する。これに応じて、モータ電源切替部１２は、電源部２からのモータ電源２Ｂをモータ電源４Ａとして選択して冷却ファン４への供給を再開し、このモータ電源４Ａによりモータ４１が回転してインペラ４２から制御部３に対して空気が送風される。また、動作電源切替部１４は、電源部２からの動作電源２Ａを動作電源３Ａとして選択して制御部３への供給を再開する。
【００２９】
このように、本実施の形態では、電子機器１に設けられている冷却ファン４を利用して、バックアップ電源装置１０により、ＡＣ電源９が正常な場合は電源部２からの動作電源２Ａを制御部３の動作電源３Ａとして供給し、ＡＣ電源９の電圧低下時には冷却ファン４の逆起電力から生成したバックアップ電源１３Ａを制御部３の動作電源３Ａとして供給するようにしたので、予備電池や大容量コンデンサを必要とすることなくバックアップ電源を供給できる。
【００３０】
したがって、バックアップ電源用として予備電池や大容量コンデンサを用いる場合と比較して、電気機器に設けられている冷却ファンの逆起電力を利用するようにしたので、予備電池や大容量コンデンサを実装するためのスペースが不要となり、電子機器の大型化やコストアップを抑制できる。また、予備電池では必要となる寿命による交換作業も不要となり、運用の面でも作業負担を軽減できる。
【００３１】
また、モータ電源切替部１２により冷却ファンのモータ電源４Ａに入出力する電源を切替制御し、動作電源切替部１４により制御部３へ供給される動作電源３Ａを切替制御するようにしたので、既存の電子機器１の構成、すなわち動作電源２Ａが動作電源３Ａとして直接供給され、モータ電源２Ｂがモータ電源４Ａとして直接供給されている回路構成を大幅に変更することなく、バックアップ電源装置１０をユニットとして、動作電源２Ａと動作電源３Ａの間、およびモータ電源２Ｂとモータ電源４Ａの間に挿入するだけで、本実施の形態を容易に実現できる。
【００３２】
［第２の実施の形態］
次に、図３〜図６を参照して、本発明の第２の実施の形態について説明する。図３は、冷却ファンの構成を示す平面図である。図４は、冷却ファンの構成を示す側面図である。図５は、冷却ファンの構成を示す底面図である。図６は、冷却ファンの他の構成を示す平面図である。
【００３３】
ＡＣ電源９の電圧低下時に制御部３へ動作電源３Ａとしてバックアップ電源１３Ａを供給する場合、冷却ファン４のインペラ４２が慣性で回転していることが条件となり、インペラ４２が慣性により回転し続けることで、より長い期間にわたり安定したバックアップ電源１３Ａを供給できる。
本実施の形態では、インペラ４２のブレード４２Ｂの先端部にウェイト５を設け、モータ電源２Ｂの供給が途絶えた後、インペラ４２の回転を維持するようにしたものである。
【００３４】
冷却ファン４は、モータ電源４Ａにより回転動作するモータ４１と、このモータ４１の回転動作により回転して空気を送風するインペラ４２とから構成され、これらがプラスチック成型品からなるハウジング４３に納められている。
ハウジング４３は、空気が通過する円筒４３Ａと、その両方の開口部に設けられた正方形の取付フランジ４３Ｂと、円筒４３Ａの一方の開口部の中心に取付フランジ４３Ｂからの支持アーム４３Ｃに支持された円盤状のモータベース４３Ｄとを有し、これらは一体に形成されている。
【００３５】
モータベース４３Ｄには、その内側面にモータ４１を構成する軸受手段、複数の電機子、回路基板（図示せず）が取り付けられている。
インペラ４２は、中心に回転軸（図示せず）が設けられたカップ状のロータ４２Ａと、このロータ４２Ａの外周面に設けられた複数のブレード４２Ｂとから形成されており、ロータ４２Ａの内周面にはマグネット（図示せず）が固定されている。
インペラ４２は、このマグネットと電機子とが対向する位置で、その回転軸を介してモータベース４３Ｄ側の軸受手段により回転自在に支持されている。モータ電源４Ａの供給に応じて電機子に電流が流れると、マグネットとの磁気作用によりマグネットに回転力が生じ、インペラ４２が回転し、そのブレード４２Ｂにより気流が発生する。
【００３６】
インペラ４２のブレード４２Ｂの先端部には、例えば比重の大きい金属からなるウェイト５が固定されている。この際、ブレード４２Ｂの先端部を肉厚化してウェイト５を形成してもよい。インペラ４２の回転に応じてウェイト５に慣性力が蓄えられ、冷却ファン４に対する電源部２からのモータ電源２Ｂの供給が途絶えた場合、ウェイト５が慣性力により回転し続けようとする。これにより、モータ４１の逆起電力として長い期間にわたりモータ電源４Ａが出力され、安定したバックアップ電源１３Ａを供給できる。
【００３７】
ウェイト５については、各ブレード４２Ｂに個別に取り付けてもよいが、図６に示すように、内周面が各ブレード４２Ｂの先端部で支持された円筒状のウェイト５１を用いてもよい。これにより、ウェイト５１の重量を容易に大きくでき、慣性力を増すことができる。
【００３８】
［第３の実施の形態］
次に、図７，図８を参照して、本発明の第３の実施の形態について説明する。図７は、動作電源切替部の回路構成例である。図８は、モータ電源切替部の回路構成例である。
前述した第１の実施の形態では、動作電源切替部１４として回路そのものを切り替え接続するリレーやスイッチを用いる場合について説明したが、図７に示すように、ダイオードＯＲ回路で構成してもよい。
【００３９】
この動作電源切替部１４は、アノード端子に動作電源２Ａが入力されるダイオードＤ１と、アノード端子にバックアップ電源１３Ａが入力されるダイオードＤ２とからなり、これらダイオードＤ１，Ｄ２のカソード端子同士が接続されて制御部３への動作電源３Ａを出力する。
これにより、動作電源２Ａとバックアップ電源１３Ａのいずれか電圧の高い方が自動的に選択され、動作電源３Ａとして制御部３へ供給される。したがって、検出部１１からの検出信号１１Ａを用いることなく、動作電源切替部１４を構成できる。
【００４０】
図８に示すモータ電源切替部１２についても同様であり、アノード端子にモータ電源２Ｂが入力されるダイオードＤ３と、カソード端子にバックアップ電源生成部１３の入力が接続されたダイオードＤ４とからなり、これらダイオードＤ３のカソード端子とダイオードＤ４のアノード端子が接続されて冷却ファン４のモータ電源４Ａに接続されている。
【００４１】
これにより、電源部２から動作電源２Ａが供給されている場合は、モータ電源２Ｂが最も高い電圧を示すため、これがダイオードＤ３を介してモータ電源４Ａへ供給される。このとき、ダイオードＤ４を介してバックアップ電源生成部１３へも供給されるが、動作電源切替部１４で動作電源部２Ａが選択されており、実質的な電流は流れない。
また、モータ電源２Ｂの電圧が低下した場合、モータ電源４Ａが最も高い電圧を示すため、これがダイオードＤ４を介してバックアップ電源生成部１３へ供給される。したがって、検出部１１からの検出信号１１Ａを用いることなく、動作電源切替部１４を構成できる。なお、これら動作電源切替部１４およびモータ電源切替部１２を用いることにより、検出信号１１Ａが不要となり、結果として検出部１１を削除することができる。
【００４２】
以上の各実施の形態では、ＡＣ電源の電圧低下時にバックアップ電源を発生させるため、冷却ファンの逆起電力を利用した場合について説明したが、冷却ファンに代えて常時回転動作している他のモータを利用してもよく、新たにモータを設けてもよい。この際、モータの回転軸にフライホイールを設けることにより、より大きな慣性力が得られる。
【００４３】
また、各実施の形態では、電子機器１にバックアップ電源装置１０をユニットとして組み込む場合を例として説明したが、これに限定されるものではなく、バックアップ電源装置１０を構成する各回路部を電子機器１に実装してもよい。
【図面の簡単な説明】
【００４４】
【図１】本発明の第１の実施の形態にかかる電子機器およびバックアップ電源装置の構成を示すブロック図である。
【図２】本発明の第１の実施の形態にかかる電子機器およびバックアップ電源装置の動作を示す信号波形図である。
【図３】冷却ファンの構成を示す平面図である。
【図４】冷却ファンの構成を示す側面図である。
【図５】冷却ファンの構成を示す底面図である。
【図６】冷却ファンの他の構成を示す平面図である。
【図７】動作電源切替部の回路構成例である。
【図８】モータ電源切替部の回路構成例である。
【符号の説明】
【００４５】
１…電子機器、２…電源部、２Ａ…動作電源、２Ｂ…モータ電源、２Ｃ…参照電位、２Ｄ…しきい値電位、３…制御部、３Ａ…動作電源、４…冷却ファン、４Ａ…モータ電源、１０…バックアップ電源装置、１１…検出部、１１Ａ…検出信号、１２…モータ電源切替部、１３…バックアップ電源生成部、１３Ａ…バックアップ電源、１４…動作電源切替部、４１…モータ、４２…インペラ、４２Ａ…ロータ、４２Ｂ…ブレード、４３…ハウジング、４３Ａ…円筒、４３Ｂ…取付フランジ、４３Ｃ…支持アーム、４３Ｄ…モータベース、５，５１…ウェイト。
【図１】
2006296004.tif 000003
【図２】
2006296004.tif 000004
【図３】
2006296004.tif 000005
【図４】
2006296004.tif 000006
【図５】
2006296004.tif 000007
【図６】
2006296004.tif 000008
【図７】
2006296004.tif 000009
【図８】
2006296004.tif 000010